(57)【要約】      （修正有）【課題】耐震性が高く、短工期に施工できる、乾式レンガ構造を提供する。【解決手段】並列して立設した支柱１と、前記支柱１を挿通する挿通孔２１を有し、前記挿通孔２１に前記支柱１を挿通した状態で積層するレンガ２と、前記支柱１に挿通した状態で、積層した前記レンガ２間に配置するスペーサー３と、からなり、前記挿通孔２１は、面内方向に長い楕円状であり、前記スペーサー３は、円柱状であり前記挿通孔２１に内挿する本体と、前記本体の上端外周に設ける鍔部と、からなることを特徴とする。【選択図】図１
0003197277.tif 000002
【実用新案登録請求の範囲】
【請求項１】
並列して立設した支柱と、
前記支柱を挿通する挿通孔を有し、前記挿通孔に前記支柱を挿通した状態で積層するレンガと、
前記支柱に挿通した状態で、積層した前記レンガ間に配置するスペーサーと、からなり、
前記挿通孔は、面内方向に長い楕円状であり、
前記スペーサーは、円柱状であり前記挿通孔に内挿する本体と、前記本体の上端外周に設ける鍔部と、からなることを特徴とする、乾式レンガ構造。
【請求項２】
請求項１に記載の乾式レンガ構造において、
前記スペーサーの前記鍔部を楕円形状とすることを特徴とする、乾式レンガ構造。
【考案の詳細な説明】
【技術分野】
【０００１】
本考案は、建築物の外装、内装（間仕切り等）および外構に用いられる乾式レンガ構造に関するものである。
【背景技術】
【０００２】
従来のレンガ積み工法はモルタルとレンガを交互に積み重ねてレンガ壁を構成するものである。
しかし、昨今の地震等による被害状況をみると、レンガ壁に大きな亀裂が入る場合や、最悪倒壊する場合も見受けられ、従来のレンガ積み工法の耐震性には問題があるのが現状である。
レンガは古今東西より使用されている温もりのある建材であり、特に我が国では耐震性を保持する工法の開発が普及の不可欠要素である。
【考案の概要】
【考案が解決しようとする課題】
【０００３】
レンガとモルタルの接着力に依存した従来のレンガ積み工法から、モルタルを使用せずに、鋼製の支柱と、ＥＰＤＭなどのエラストマーからなるスペーサーを使用し、より耐震性を固めたレンガ積み乾式工法の開発が急務となっている。
このレンガ積み乾式工法は、貫通孔を設けたレンガに支柱を貫通させて、スペーサーを挟みながら積み上げる工法である。この工法は、施工時に天候に左右されることが少なく、再利用性が高く、短工期を可能にするものである。
レンガ積み乾式工法では、レンガ壁の面外、面内の変位に対する耐力（特に曲げ応力）は支柱で維持させ、鉛直荷重はスペーサーを介して下方に伝達される。
しかし、地震時の層間変位の変位量に対して、レンガとスペーサーとのすべり量では納まらない場合が想定されており、レンガ壁の変位に対する追従性を高める事が求められている。
レンガ壁の変位に対する追従性を向上させる手段として、レンガの貫通孔の径を大きくし、支柱との隙間を空けることが考えられるが、貫通孔を大きくすればレンガの材料強度が落ちる可能性もあり、また、スペーサーが支柱の変位を拘束することも想定されるため、レンガ壁の地震時変位に対する追従性の確保は困難である。
【０００４】
本考案は、耐震性が高く、短工期に施工できる、乾式レンガ構造を提供することを目的とする。
【課題を解決するための手段】
【０００５】
上記目的を達成するためになされた本願の第１考案は、並列して立設した支柱と、前記支柱を挿通する挿通孔を有し、前記挿通孔に前記支柱を挿通した状態で積層するレンガと、前記支柱に挿通した状態で、積層した前記レンガ間に配置するスペーサーと、からなり、前記挿通孔は、面内方向に長い楕円状であり、前記スペーサーは、円柱状であり前記挿通孔に内挿する本体と、前記本体の上端外周に設ける鍔部と、からなることを特徴とする、乾式レンガ構造を提供する。
本願の第２考案は、第１考案の乾式レンガ構造において、前記スペーサーの前記鍔部を楕円形状とすることを特徴とする、乾式レンガ構造を提供する。
【考案の効果】
【０００６】
本考案は、上記した課題を解決するための手段により、次のような効果の少なくとも一つを得ることができる。
（１）レンガに設ける挿通孔を面内方向に長い楕円状とすることにより、面内方向へのレンガ壁の変位追従性を向上することができる。
（２）積層したレンガ間の横目地部にエラストマーからなるスペーサーを挟み込むことにより、地震時の鉛直方向の応力をスペーサーの材料弾性内で吸収できる。
（３）弾性体であるスペーサーを挿通孔内に内挿した状態で挟み込むため、地震時の水平方向の変位に対してレンガとスペーサーとの間で滑りが発生し、応力を逃がすことができる。
（４）スペーサーの鍔部を楕円形状とすることにより、スペーサーの鍔部の面積が大きくなり、貫通孔の被覆面積も大きくなる。これにより、地震時の応力に対する吸収と逃げ幅が大きくなる。
（５）レンガ積み乾式工法では、地震時の層間変位をレンガ個々に分散化して追従する特徴があり、最大１／５０の変位量でも対応できる事が証明されている。
なお、実験では乾式工法により各種応力がレンガ毎に分散化できている。
特に、階高の高いレンガ壁では層間変位量が多くなるため、スペーサーとレンガとのすべり性能において、ＥＰＤＭがスペーサーの材質として、弾性力や耐候性において適していることも証明されている。
【図面の簡単な説明】
【０００７】
【図１】乾式レンガ構造の説明図
【図２】スペーサーの説明図
【図３】レンガの層間変位の説明図
【考案を実施するための形態】
【０００８】
以下、図に示す実施例に基づき、本考案を詳細に説明する。
【実施例１】
【０００９】
（１）乾式レンガ構造
本考案の乾式レンガ構造は、基礎等に並列して立設する支柱１と、支柱１を挿通しながら積層するレンガ２と、積層するレンガ２間に配置するスペーサー３と、からなる。（図１）
【００１０】
（２）支柱
支柱１は鋼製の棒材であり、表面にメッキを施した鋼管パイプを用いることができる。また、ステンレスにより構成してもよい。
【００１１】
（３）レンガ
レンガ２は直方体に成形されており、高さ方向に亘って挿通孔２１を設ける。
挿通孔２１はレンガ２の幅方向（レンガ２を積層したときの面内方向）に長い楕円形状とする。
レンガ２は、挿通孔２１に支柱１を挿通した状態で積層する。
【００１２】
（４）スペーサー
積層するレンガ２の間にはスペーサー３を配置する。
スペーサー３は、ＥＰＤＭなどのエラストマーからなる。
スペーサー３は、円柱状の本体３１と、本体３１の上端外周に設ける鍔部３２と、からなる（図２）。鍔部３２は挿通孔２１より大径の楕円形状とする。
スペーサー３は支柱１に挿通して用いるため、中央に挿通孔３３を設ける。
【００１３】
（５）スペーサーの配置
スペーサー３は、レンガ２に挿通した状態の支柱１を挿通孔３３に挿通する。
そして、本体３１をレンガ２の挿通孔２１に内挿する。鍔部３２は挿通孔２１より大径であるため、鍔部３２はレンガ２の上面に位置する。
レンガ２を積層することにより、スペーサー３は上下のレンガ２に挟まれた状態となる。積層したレンガ２間にエラストマーからなるスペーサー３を配置することにより、地震時の鉛直方向の応力をスペーサー３の材料弾性内で吸収できる。
このように、本考案の乾式レンガ構造は、モルタルを使用せずにレンガ２およびスペーサー３を支柱１に挿通して積層して構築するものであるため、施工時に天候に左右されることが少なく、再利用性が高く、短工期で構築することができる。
【００１４】
（６）層間変位
通常時、レンガ２はスペーサー３を挟時して積層した状態であるが（図３ａ）、地震時には各層が独立して変位する（図３ｂ）。
地震時の層間変位での面内方向のレンガ２の挙動に対して、挿通孔２１を楕円形状にすることにより、挿通孔１に挿通した支柱１の挙動幅を大きく取ることができ、最大１／５０の変位量でも変位に追従することができる。
支柱１とレンガ２および積層したレンガ２間にはスペーサー３があるため、レンガ２とスペーサー３との間で滑りが発生し、応力を逃がすことができる。
また、挿通孔２１の楕円形状に合わせてスペーサー３の鍔部３２の形状を楕円形状とすることにより、スペーサー３の鍔部３２の面積が大きくなり、鍔部３２による貫通孔２１の被覆面積も大きくなる。これにより、地震時の応力に対する吸収と逃げ幅が大きくなる。
【符号の説明】
【００１５】
１        支柱
２        レンガ
２１      挿通孔
３        スペーサー
３１      本体
３２      鍔部
３３      挿通孔
【図１】
0003197277.tif 000003
【図２】
0003197277.tif 000004
【図３】
0003197277.tif 000005